(57)【要約】    【課題】この発明は、簡単な構造で、紙葉類から反射された反射光、あるいは紙葉類を透過する透過光から複数の光学的特定波長域の変化を得、これにより高精度に紙葉類を識別するようにした紙葉類検出装置を提供する。      【解決手段】この発明の紙葉類検出装置１０では、紙葉類６０に接して回動する円筒形のドラム２０を透光体により形成するとともに、このドラム２０内に光学素子部３０を固定設置し、このドラム２０の周面に特定の光を透過させるフィルター４０を配設するようにした。    【選択図】  図１
2005346481.tif 000002
【特許請求の範囲】
【請求項１】
紙葉類を検出する紙葉類検出装置において、
前記紙葉類に接して回動する透光体のドラムと、
該ドラム内に配設された光学素子部と、
前記ドラムの周面に配設されたフィルター部と、
を少なくとも備えたことを特徴とする紙葉類検出装置。
【請求項２】
前記光学素子部は発光素子と受光素子とからなることを特徴とする請求項１に記載の紙葉類検出装置。
【請求項３】
前記光学素子部は発光素子または受光素子からなることを特徴とする請求項１に記載の紙葉類検出装置。
【請求項４】
前記フィルター部は前記ドラムの内周面または外周面に配設されていることを特徴とする請求項１に記載の紙葉類検出装置。
【請求項５】
前記フィルター部は特定波長域の光を透過または遮断するフィルターからなることを特徴とする請求項４に記載の紙葉類検出装置。
【請求項６】
前記フィルター部は特定波長域の光を透過または遮断する複数種類のフィルターからなることを特徴とする請求項４に記載の紙葉類検出装置。
【請求項７】
前記ドラムには前記光学素子部の基準出力を検出する基準紙が配設されていることを特徴とする請求項１に記載の紙葉類検出装置。
【請求項８】
前記基準紙は前記ドラムの内周面または外周面に配設されていることを特徴とする請求項７に記載の紙葉類検出装置。
【請求項９】
前記基準紙は無彩色または有彩色であることを特徴とする請求項８に記載の紙葉類検出装置。
【発明の詳細な説明】
【技術分野】
【０００１】
この発明は、紙幣、金券、ギフト券、あるいは証券等の紙葉類を検出する紙葉類検出装置に関し、特に光学素子を使用して紙葉類の光学的特徴を検出することによりその真偽を判別するようにした紙葉類検出装置に関する。
【背景技術】
【０００２】
紙幣、金券、ギフト券、あるいは証券等の紙葉類の真偽を判別する手段として、紙葉類に光学素子（発光素子）から光を照射し、その反射光の変化、あるいは透過光の変化を光学素子（受光素子）により検出して紙葉類の真偽を判別するようにしたいわゆる光学素子式の紙葉類検出装置は従来から提供されている。
【０００３】
一方、上述した紙葉類の反射光あるいは透過光から複数の光学的特定波長域の光学的特性を得て、これにより一層詳細な紙葉類の検出情報を得るタイプの紙葉類検出装置としては従来以下のようなものがある。
【０００４】
反射光検出タイプのものとしては、図３０に示すように発光素子２から紙葉類１に照射された光の反射光Ｌを複数の受光素子３、４で検出するように構成し、かつこの各受光素子３、４の正面にそれぞれ特定波長域の光のみを通過させるフィルター５，６を配設する。これにより紙葉類の反射光から相異なる複数の波長域における紙葉類の光学的特性を検出することができる。
【０００５】
また透過光タイプのものとしては、図３１で示すように、発光素子２から紙葉類１に照射された透過光Ｍをプリズム等の光路分岐手段７を用いて分岐し、その分岐された分岐光Ｎ、Ｏをそれぞれ別個の各受光素子３、４で検出するとともに、この各受光素子３、４の正面にそれぞれ特定波長域の光のみを通過させるフィルター５，６を配設する。これにより紙葉類の透過光から相異なる複数の波長域における紙葉類の光学的特性を検出することができる。なお、図３０，３１で符号８は発光素子２の正面に配置された光学フィルターである。
【０００６】
なお、上述した光学素子（発光素子、受光素子）を単に回転自在な透光体のドラム内に収容し、そのドラム内から紙葉類に光を照射し、その反射光の変化、あるいは透過光の変化を光学素子により検出して単一の特定波長域のみの紙葉類の光学的特性を検出して、紙葉類の真偽を判別するようにしたものは特許３３９９０９４号に開示されている。
【特許文献１】特許第３３９９０９４号
【発明の開示】
【発明が解決しようとする課題】
【０００７】
ところで、図３０、図３１に示した従来例のものでは、一つの発光素子２から紙葉類１へ照射された光の反射光あるいは透過光から相異なる複数の波長域における紙葉類１の光学的特性を検出する際に、それぞれフィルター５，６を備えた複数の受光素子３，４および複数の光路が必要となり、このため高精度に紙葉類の識別を行なうと装置の複雑化、大型化、およびコスト高の要因となっていた。
【０００８】
この発明は、上述した事情に鑑み、簡単な構造で、紙葉類から反射された反射光、あるいは紙葉類を透過する透過光から複数の光学的特定波長域を得、これにより高精度に紙葉類を識別するようにした紙葉類検出装置を提供するようにしている。
【課題を解決するための手段】
【０００９】
上述した課題を解決するため、この発明では、紙葉類を検出する紙葉類検出装置において、紙葉類に接して回動する円筒形のドラムを透光体により形成するとともに、該透光体のドラム内に光学素子部を固定設置し、前記透光体のドラムの周面に特定波長域の光を透過させるフィルター部を配設するようにしている。
【発明の効果】
【００１０】
上述した紙葉類検出装置によると、透光体のドラムが回転する間に、光学素子部から照射された光は、ドラムの周面に配設されたフィルター部と非フィルター部とを通過して紙葉類に当たって反射され、あるいは紙葉類を通過するため、その反射光、あるいは透過光を光学素子部で検出することにより簡単な構造で複数種類の特定波長域に応じた紙葉類の光学的特徴を抽出して、紙葉類の真偽判定を高精度に行なうことができる。  
【発明を実施するための最良の形態】
【００１１】
以下、この発明に係る紙葉類検出装置の一実施例を詳述する。
【００１２】
〔実施例１〕  
図１は、この発明に係る紙葉類検出装置１０の第１実施例を示す概念断面図である。
【００１３】
この第１実施例の紙葉類検出装置１０は、互いに対向して配設された一対のシュート１１，１２からなる紙葉類搬送路１３を挟み、相対向するように配設された円筒形の透光体からなるドラム２０と、このドラム２０の外周面２０ａに圧接するゴム等の弾性体で形成されたローラ２１とから構成されている。
【００１４】
このうち、ドラム２０は透明なプラスチック、あるいは透明なガラス等の光を透過させる透光体で形成され、その内部には光学素子部３０が配設されている。
【００１５】
この光学素子部３０は、レーザーダイオード、発光ダイオード、あるいは冷陰極管等からなる発光素子３１を単体あるいはライン状に配設されたものと、フォトダイオード、あるいはＣＣＤ等の受光素子３２を単体あるいはライン状に配設されたものとから構成され、この受光素子３２の正面には縮小または拡大光学系あるいは等倍光学系（例えばマイクロレンズアレイ）等で構成された光学系レンズ３３が配設されている。
【００１６】
そして、上述したドラム２０の内周面２０ｂには、特定波長域の光のみを通過させる第１フィルター４０が、一定幅をもって帯状にドラム２０の軸方向に沿って配設されている。なお、この第１フィルター４０は貼着、スパッタリングあるいはコーティング等の処理によりドラム２０の内周面２０ｂに密着して形成されている。
【００１７】
一方、上述したドラム２０はその概念分解斜視図で示す図２のように、端部がＤカットされ、図示せぬ側壁に対して回動せぬように形成された第１軸５０と第２軸５１とからなり、この第１軸５０と第２軸５１との間には前記光学素子部３０を位置決め固定する枠体５２が固定されている。また前記第１軸５０と第２軸５１とにはそれぞれドラム２０に嵌着し、当該ドラム２０を回動自在に支承する軸受部５３（転がり軸受を構成要素とする部材等）が配設されている。
【００１８】
なお、前記軸５０，５１内には前記光学素子部３０に連結された配線部５４が嵌挿している。        
従って、上述したドラム２０によると、当該ドラム２０は位置決め固定された軸５０，５１及び光学素子部３０に対して回動自在となっている。
【００１９】
次に上述した紙葉類検出装置１０の作用を説明し、併せて構成をより詳細に説明する。
【００２０】
図３で示すように、図示せぬ紙葉類搬送手段により紙葉類６０が紙葉類搬送路１３に沿って搬送され、ドラム２０とローラ２１との間に挟持されると、ドラム２０が回転する間に、図示せぬ制御装置により所定のタイミングで光学素子部３０の発光素子３１が発光する。
【００２１】
その際、発光素子３１の光Ａが、第１フィルター４０のない部分（即ち非フィルター部分）のドラム２０を通過して紙葉類６０に当たって反射すると、その反射光Ｂは光学系レンズ３３を介して受光素子３２に入射して検出され、これにより非フィルター部分のドラム２０を通過する反射光Ｂにより特定波長域における紙葉類６０の光学的特徴を抽出することができる。
【００２２】
また、図４で示すように、図示せぬ制御装置により所定のタイミングで発光素子３１が発光し、その光Ａが第１フィルター４０のある部分（即ちフィルター部分）のドラム２０を通過して紙葉類６０に当たって反射すると、その反射光Ｃは光学系レンズ３３を介して受光素子３２に入射して検出され、これにより、第１フィルター４０のドラム２０を通過する反射光Ｃにより別の特定波長域における紙葉類６０の光学的特徴を抽出することができる。
【００２３】
従って、図１に示す第１実施例の紙葉類検出装置１０によると第１フィルター４０を通過した反射光と、非フィルター部分を通過した反射光との２種類の特定波長域に対応する紙葉類６０の光学的特徴を抽出して、当該紙葉類６０の真偽判定を高精度に行なうことができることとなる。
【００２４】
なお、上記実施例では、紙葉類６０の反射光を捕らえて２種類の特定波長域に対応する紙葉類６０の光学的特徴を抽出するようにしたが、以下の第２実施例に示すように、紙葉類６０を透過する透過光を捕らえて２種類の特定波長域に対応する紙葉類６０の光学的特徴を抽出することもできる。
【００２５】
〔実施例２〕
図５は、紙葉類６０の透過光を検出して２種類の特定波長域に対応する紙葉類６０の光学的特徴を抽出する紙葉類検出装置１０の概念断面図であり、図１乃至図４と同一部分を同一符号で示す。
【００２６】
この第２実施例の紙葉類検出装置１０は、紙葉類搬送路１３を挟み、互いに相対向して配設された上下一対の円筒形の透光体からなるドラム２０と、この一対のドラム２０内にそれぞれ配設された光学素子部３０Ａ、３０Ｂとから構成されている。
【００２７】
このうち、上方に位置する一方のドラム２０内に配設された光学素子部３０Ａはレーザーダイオード、発光ダイオード、あるいは冷陰極管等からなる発光素子３１を単体あるいはライン状に配設された構成からなり、また下方に位置する他方のドラム２０内に配設された光学素子部３０Ｂは、フォトダイオードあるいはＣＣＤ等の受光素子３２が単体あるいはライン状に配設され、その正面には縮小または拡大光学系あるいは等倍光学系（例えばマイクロレンズアレイ）等で構成された光学系レンズ３３とから構成されている。
【００２８】
そして、上述した一対のドラム２０のうち、発光素子３１を配設した一方のドラム２０の内周面２０ｂには、特定波長域の光のみを通過させる第１フィルター４０が、一定幅をもって帯状に当該ドラム２０の軸方向に沿って形成されている。
【００２９】
次に上述した第２実施例の紙葉類検出装置１０の作用を説明し併せて構成をより詳細に説明する。
【００３０】
図６で示すように、図示せぬ紙葉類搬送手段により紙葉類６０が紙葉類搬送路１３に沿って搬送され、一対のドラム２０間に挟持された状態で各ドラム２０が回転する間に、図示せぬ制御装置により所定のタイミングで光学素子部３０Ａの発光素子３１が発光する。
【００３１】
その際、発光素子３１の光Ａが、第１フィルター４０のない部分（非フィルター部分）の一方のドラム２０を通過して紙葉類６０を透過すると、その透過光Ｂは他方のドラム２０の光学系レンズ３３を介して受光素子３２に入射して検出され、これにより非フィルター部分の一方のドラム２０を通過する特定波長域の透過光Ｂに対応する紙葉類６０の光学的特徴を抽出することができる。
【００３２】
また、図７で示すように、図示せぬ制御装置により所定のタイミングで光学素子部３０Ａの発光素子３１が発光し、光学素子部３０の光Ａが、第１フィルター４０のある部分（フィルター部分）の一方のドラム２０を通過して紙葉類６０を透過すると、その透過光Ｃは光学系レンズ３３を介して受光素子３２に入射して検出され、これにより、第１フィルター４０の一方のドラム２０を通過する特定波長域の透過光Ｃに対応する紙葉類６０の光学的特徴を抽出することができる。
【００３３】
従って、図５に示す第２実施例の紙葉類検出装置１０によると第１フィルター４０を通過した透過光Ｃと、非フィルター部分を通過した透過光Ｂとの２種類の特定波長域に対応する紙葉類６０の光学的特徴を抽出して、当該紙葉類６０の真偽判定を高精度に行なうことができることとなる。
【００３４】
なお、上記各実施例では、フィルター部として一種類の第１フィルター４０のみを使用して紙葉類６０の反射光、あるいは透過光を捕らえて２種類の特定波長域に対応する紙葉類６０の光学的特徴を抽出するようにしたが、この発明は上記実施例に限定されることなく、フィルター部としてさらに多種類のフィルターを配設して、２種類以上の特定波長域に対応する紙葉類６０の光学的特徴を抽出するようにしてもよい。
【００３５】
〔実施例３〕
図８はドラム２０の内周面２０ｂに、それぞれ異なる特定周波数領域の光を透過させる三種類のフィルター（第１フィルター４０、第２フィルター４１、第３フィルター４２）を所定ピッチで配設して、４種類の特定波長域に対応する紙葉類６０の光学的特徴を抽出するようにした第３実施例の紙葉類検出装置１０を示す概念断面図で、図１と同一部分を同一符号で示す。
【００３６】
この第３実施例の紙葉類検出装置１０では、ドラム２０の内周面２０ｂに所定のピッチで三種類のフィルター（第１フィルター４０、第２フィルター４１、第３フィルター４２）が配設されている。なお、実施例では第１フィルター４０は赤色波長域のみを透過させるＲフィルター、第２フィルター４１は緑色波長域のみを透過させるＧフィルター、第３フィルター４２は青色波長域のみを透過させるＢフィルターを示している。
【００３７】
次に上述した第３実施例の紙葉類検出装置１０の作用を説明する。
【００３８】
図９で示すように、図示せぬ紙葉類搬送手段により紙葉類６０が紙葉類搬送路１３に沿って搬送され、ドラム２０とローラ２１との間に挟持されると、ドラム２０が回転する間に、図示せぬ制御装置により所定のタイミングで光学素子部３０の発光素子３１が発光する。
【００３９】
その際、発光素子３１の光Ａが、第１フィルター４０のある部分（フィルター部分）のドラム２０を通過して紙葉類６０に当たって反射すると、その反射光Ｃは光学系レンズ３３を介して受光素子３２に入射して検出され、これにより、第１フィルター４０のドラム２０を通過する特定波長域（赤色波長域）の反射光Ｃに対応する紙葉類６０の光学的特徴を抽出することができる。
【００４０】
また、ドラム２０が回転する間に、図示せぬ制御装置により所定のタイミングで発光素子３１が発光し、当該発光素子３１の光Ａが、図１０で示すように、第２フィルター４１のある部分（フィルター部分）のドラム２０を通過して紙葉類６０に当たって反射すると、その反射光Ｄは光学系レンズ３３を介して受光素子３２に入射して検出され、これにより、第２フィルター４１のドラム２０を通過する特定波長域（緑色波長域）の反射光Ｄに対応する紙葉類６０の光学的特徴を抽出することができる。
【００４１】
また、ドラム２０が一回転する間に、図示せぬ制御装置により所定のタイミングで発光素子３１が発光し、当該発光素子３１の光Ａが、図１１で示すように、第３フィルター４２のある部分（フィルター部分）のドラム２０を通過して紙葉類６０に当たって反射すると、その反射光Ｅは光学系レンズ３３を介して受光素子３２に入射して検出され、これにより、第３フィルター４２のドラム２０を通過する特定波長域（青色波長域）の反射光Ｅに対応する紙葉類６０の光学的特徴を抽出することができる。
【００４２】
さらに、ドラム２０が一回転する間に、図示せぬ制御装置により所定のタイミングで発光素子３１が発光し、当該発光素子３１の光Ａが、図１２で示すように、フィルターのない部分（非フィルター部分）のドラム２０を通過して紙葉類６０に当たって反射すると、その反射光Ｂは光学系レンズ３３を介して受光素子３２に入射して検出され、これにより非フィルター部分のドラム２０を通過する特定波長域の反射光Ｂに対応する紙葉類６０の光学的特徴を抽出することができる。
【００４３】
従って、図８に示す第３実施例の紙葉類検出装置１０によると第１フィルター乃至第３フィルター４０，４１，４２を通過した反射光Ｃ，Ｄ，Ｅ，と、非フィルター部分を通過した反射光Ｂとの４種類の特定波長域に対応する紙葉類６０の光学的特徴を抽出して、当該紙葉類６０の真偽判定をより一層高精度に行なうことができることとなる。
【００４４】
なお、上記第３実施例では、紙葉類６０の反射光を捕らえて４種類の特定波長域に反応する紙葉類６０の光学的特徴を抽出するようにしたが、以下の第４実施例に示すように、紙葉類６０を透過する透過光を捕らえて４種類の特定波長域に反応する紙葉類６０の光学的特徴を抽出することもできる。
【００４５】
〔実施例４〕
図１３は、紙葉類６０の透過光を捕らえて４種類の特定波長域に反応する紙葉類６０の光学的特徴を抽出する第４実施例の紙葉類検出装置１０を示す概念断面図で図５と同一部分を同一符号で示す。
【００４６】
この第４実施例の紙葉類検出装置１０でも、紙葉類搬送路１３を挟み上方に位置するドラム２０の内周面２０ｂに所定のピッチで三種類のフィルター（第１フィルター４０、第２フィルター４１、第３フィルター４２）が配設されている。なお、この第４実施例でも第１フィルター４０は赤色波長域のみを透過させるＲフィルター、第２フィルター４１は緑色波長域のみを透過させるＧフィルター、第３フィルター４２は青色波長域のみを透過させるＢフィルターを示している。
【００４７】
次に上述した第４実施例の紙葉類検出装置１０の作用を説明する。
【００４８】
図１４で示すように、図示せぬ紙葉類搬送手段により紙葉類６０が紙葉類搬送路１３に沿って搬送され、上下一対のドラム２０の間に挟持されると、ドラム２０が回転する間に、図示せぬ制御装置により所定のタイミングで光学素子部３０Ａの発光素子３１が発光する。
【００４９】
その際、発光素子３１の光Ａが、第１フィルター４０のある部分（フィルター部分）の一方のドラム２０を通過して紙葉類６０を透過すると、その透過光Ｃは下方に位置するドラム２０の光学系レンズ３３を介して受光素子３２に入射して検出され、これにより、第１フィルター４０を通過する特定波長域（赤色波長域）の透過光Ｃに対応する紙葉類６０の光学的特徴を抽出することができる。
【００５０】
また、ドラム２０が回転する間に、図示せぬ制御装置により所定のタイミングで発光素子３１が発光し、当該発光素子３１の光Ａが、図１５で示すように、第２フィルター４１のある部分（フィルター部分）を通過して紙葉類６０を透過すると、その透過光Ｄは光学系レンズ３３を介して受光素子３２に入射して検出され、これにより、第２フィルター４１を通過する特定波長域（緑色波長域）の透過光Ｄに対応する紙葉類６０の光学的特徴を抽出することができる。
【００５１】
また、ドラム２０が回転する間に、図示せぬ制御装置により所定のタイミングで発光素子３１が発光し、当該発光素子３１の光Ａが、図１６で示すように、第３フィルター４２のある部分（フィルター部分）のドラム２０を通過して紙葉類６０を透過すると、その透過光Ｅは光学系レンズ３３を介して受光素子３２に入射して検出され、これにより、第３フィルター４２を通過する特定波長域（青色波長域）の透過光Ｅに対応する紙葉類６０の光学的特徴を抽出することができる。
【００５２】
さらに、ドラム２０が一回転する間に、図示せぬ制御装置により所定のタイミングで発光素子３１が発光し、当該発光素子３１の光Ａが、図１７で示すように、フィルターのない部分（非フィルター部分）のドラム２０を通過して紙葉類６０を透過すると、その透過光Ｂは光学系レンズ３３を介して受光素子３２に入射して検出され、これにより非フィルター部分のドラム２０を通過する特定波長域の反射光Ｂに対応する紙葉類６０の光学的特徴を抽出することができる。
【００５３】
従って、図１３に示す第４実施例の紙葉類検出装置１０によると第１フィルター乃至第３フィルター４０，４１，４２を通過した透過光Ｃ，Ｄ，Ｅ，と、非フィルター部分を通過した透過光Ｂとの４種類の特定波長域に反応する紙葉類６０の光学的特徴を抽出して、当該紙葉類６０の真偽判定をより一層高精度に行なうことができることとなる。
【００５４】
なお、上記各実施例では、ドラム２０の内周面２０ｂにフィルター部、即ち特定波長域の光を通過させる１乃至３種類のフィルター４０，４１，４２を配設するようにしたが、フィルター部におけるフィルターの種類及び数はこれに限定されないことはいうまでもなく、検出しようとする特定波長域の数に応じてフィルターの種類の数を増減させればよい。
【００５５】
〔実施例５〕
また、上記各実施例では、ドラム２０の周面にフィルターを配設する場合について詳述したが、この発明は上記実施例に限定されることなく、以下に示す第５実施例のように、光学素子３０（発光素子３１，受光素子３２）の経年変化に伴う出力補正を行なうため、ドラム２０の内周面２０ｂであって、その軸方向に沿ってキャリュブレーションをとるため無彩色または有彩色の基準紙を配設するようにしても良い。
【００５６】
図１８は上述した第５実施例を示す紙葉類検出装置１０の概念断面図で、図８と同一部分を同一符号で示す。
【００５７】
この第５実施例の紙葉類検出装置１０では、フィルター４０，４１に加えてドラム２０の内周面に無彩色である白色の第１基準紙７０と有彩色の黒色の第２基準紙７１とが配設されている。
【００５８】
このように、ドラム２０の内周面２０ｂに第１及び第２の基準紙７０，７１を配設すると、図１９で示すように、紙葉類６０が紙葉類搬送路１３に沿って搬送され、ドラム２０が回転する間に所定のタイミングで発光素子３１が発光し、その光Ａが白色の第１基準紙７０のある部分（基準紙部分）に当たって反射し、その反射光Ｆが光学系レンズ３３を介して受光素子３２に入射して検出されると、全反射時における発光及び受光素子３１，３２の基準出力を検出することができる。
【００５９】
また図２０で示すように、発光素子３１の光Ａが、黒色の第２基準紙７１のある部分（基準紙部分）に当たって反射し、その反射光Ｇが光学系レンズ３３を介して受光素子３２に入射して検出されると、全吸収時における発光及び受光素子３１，３２の基準出力を検出することができる。
【００６０】
したがって上述した第５実施例の紙葉類検出装置１０によると、ドラム２０の内周面２０ｂに基準紙７０，７１を配設し、その反射光Ｆ，Ｇを検出することにより発光及び受光素子３１，３２の基準出力を検出し、その基準出力に基づいて光学素子３０の出力補正を行なうことができる。
【００６１】
特に、上述した第５実施例では、図１８で示すように、基準紙７０，７１がドラム２０の内周面２０ｂに配設されているから、基準紙７０，７１の経年変化がなく、またドラム２０が回転する間は、紙葉類６０の真偽検出中でも光学素子３０の正確な出力補正を行なうことが出来るので、常に正確な光学素子３０の出力補正を行ない、より一層正確な紙葉類６０の真偽判定を行なうことができる。
【００６２】
なお、上記各実施例では、第１フィルター乃至第３フィルター４０，４１，４２等のフィルター部材をドラム２０の内周面２０ｂに単に貼着あるいは加工形成するようにして配設したが、この発明は上記実施例に限定されることなく、図２１で示すように、ドラム２０の内周面２０ｂにフィルター部材８０を埋設するようにしても良い。
【００６３】
また、上記各実施例では、図２２で示すように、第１フィルター乃至第３フィルター４０，４１，４２等の各フィルター部材をドラム２０の軸方向に沿って帯状に配設するようにしたが、この発明は上記実施例に限定されることなく、図２３で示すように、第１フィルター乃至第３フィルター４０，４１，４２等のフィルターをドラム２０の内周面２０ｂあるいは外周面２０ａに沿って沿って環状に配設するようにしても良く、また図２４で示すように、ドラム２０の内周面２０ｂあるいは外周面２０ａにスポット状に配設するようにしても良い。
【００６４】
さらに、第１フィルター乃至第３フィルター４０，４１，４２等のフィルター部材８０を図２５で示すようにドラム２０の内周面あるいは外周面に沿って螺旋状に配設するようにしても良く、この場合は、受光素子３２の受光タイミングを合わせれば、紙葉類６０を斜めに走査して、紙葉類６０の真偽判定をより一層高精度に行なうことができることとなる。
【００６５】
また、上記第５実施例では、図２６で示すように、白色の第１基準紙７０と黒色の第２基準紙７１とをドラム２０の軸方向に沿い、帯状に配設するようにしたが、この発明は上記実施例に限定されることなく、図２７で示すように、ドラム２０の内周面２０ｂ両端部にそれぞれ環状に配設しても良く、また図２８で示すように、ドラム２０の外周面２０ａの両端部に環状に配設しても良い。
【００６６】
なお、図５、図１３で示す実施例において、上下一対のドラム２０の回転同期を取るに当たっては、図２と同一部分を同一符号で示す図２９で示すように、各ドラム２０の軸受部材５３間に歯車伝達機構９０を介在させ、この歯車伝達機構９０を介して上下一対のドラム２０間の回転同期を取ることができる。
【産業上の利用可能性】
【００６７】
以上説明したように、この発明は、紙葉類の反射光あるいは透過光から複数の光学的特定波長域の変化を検出して、高精度に紙葉類を識別するようにした紙葉類検出装置に適している。  
【図面の簡単な説明】
【００６８】
【図１】図１はこの発明の第１実施例を示す紙葉類検出装置の概念断面図。
【図２】図２はこの発明の第１実施例を示す紙葉類検出装置の概念斜視図。
【図３】図３は第１実施例の作用を示す概念断面図。
【図４】図４は第１実施例の作用を示す概念断面図。
【図５】図５は第２実施例の作用を示す概念断面図。
【図６】図６は第２実施例の作用を示す概念断面図。
【図７】図７は第２実施例の作用を示す概念断面図。
【図８】図８は第３実施例の概念断面図。
【図９】図９は第３実施例の作用を示す概念断面図。
【図１０】図１０は第３実施例の作用を示す概念断面図。
【図１１】図１１は第３実施例の作用を示す概念断面図。
【図１２】図１２は第３実施例の作用を示す概念断面図。
【図１３】図１３は第４実施例の概念断面図。
【図１４】図１４は第４実施例の作用を示す概念断面図。
【図１５】図１５は第４実施例の作用を示す概念断面図。
【図１６】図１６は第４実施例の作用を示す概念断面図。
【図１７】図１７は第４実施例の作用を示す概念断面図。
【図１８】図１８は基準紙を配設した紙葉類検出装置の概念断面図。
【図１９】図１９は基準紙を配設した紙葉類検出装置の作用を示す概念断面図。
【図２０】図２０は基準紙を配設した紙葉類検出装置の作用を示す概念断面図。
【図２１】図２１はフィルターの取付け構造を示す断面図。
【図２２】図２２はフィルターの配設位置を示す図。
【図２３】図２３はフィルターの配設位置を示す図。
【図２４】図２４はフィルターの配設位置を示す図。
【図２５】図２５はフィルターの配設位置を示す図。
【図２６】図２６は基準紙の配置位置を示す図。
【図２７】図２７は基準紙の配置位置を示す図。
【図２８】図２８は基準紙の配置位置を示す図。
【図２９】図２９は回転同期を示す図。
【図３０】図３０は反射型センサーによる従来の紙葉類検出装置を示す図。
【図３１】図３１は透過型センサーによる従来の紙葉類検出装置を示す図。
【符号の説明】
【００６９】
１０…紙葉類検出装置
２０…ドラム
２０ａ…外周面
２０ｂ…内周面
３０…光学素子部
３１…発光素子
３２…受光素子
３３…光学系レンズ
４０，４１，４２…フィルター
６０…紙葉類
７０，７１…基準紙
【図１】
2005346481.tif 000003
【図２】
2005346481.tif 000004
【図３】
2005346481.tif 000005
【図４】
2005346481.tif 000006
【図５】
2005346481.tif 000007
【図６】
2005346481.tif 000008
【図７】
2005346481.tif 000009
【図８】
2005346481.tif 000010
【図９】
2005346481.tif 000011
【図１０】
2005346481.tif 000012
【図１１】
2005346481.tif 000013
【図１２】
2005346481.tif 000014
【図１３】
2005346481.tif 000015
【図１４】
2005346481.tif 000016
【図１５】
2005346481.tif 000017
【図１６】
2005346481.tif 000018
【図１７】
2005346481.tif 000019
【図１８】
2005346481.tif 000020
【図１９】
2005346481.tif 000021
【図２０】
2005346481.tif 000022
【図２１】
2005346481.tif 000023
【図２２】
2005346481.tif 000024
【図２３】
2005346481.tif 000025
【図２４】
2005346481.tif 000026
【図２５】
2005346481.tif 000027
【図２６】
2005346481.tif 000028
【図２７】
2005346481.tif 000029
【図２８】
2005346481.tif 000030
【図２９】
2005346481.tif 000031
【図３０】
2005346481.tif 000032
【図３１】
2005346481.tif 000033